(57)【要約】【課題】携帯通信端末本体の機能を最小限に抑えながら利用者の利便性を向上させることが可能な携帯通信端末を提供する。【解決手段】表示部１０７に表示しようとする情報のうち秘匿性を要する情報を除く情報を、外部表示情報として、第２無線通信部１０９を用いて外部表示装置２００に転送して表示部２０１に表示出力させる。秘匿性を要する情報については、表示部１０７に表示する。この際、操作部１０８により、例えば、表示部１０７の表示情報をスクロールさせる操作または表示情報を縮小／拡大させる操作のいずれかがなされた際に、外部表示装置２００への転送指示がなされたものと判定する。なお、第２無線通信部１０９は、例えば、Ｂｌｕｅｔｏｏｔｈ、赤外線、無線ＬＡＮ（アドホック）のいずれかの近距離通信用の無線通信方式を用いて、外部表示装置２００と無線通信を行う。【選択図】        図１
2010166464.tif 000002
【特許請求の範囲】
【請求項１】
情報を表示する表示手段、表示する情報を外部の表示装置に転送する無線通信手段を少なくとも備えた携帯通信端末であって、前記表示手段に表示しようとする前記情報のうち秘匿性を要する情報を除く情報を、外部表示情報として、前記無線通信手段を用いて外部の前記表示装置に転送することを特徴とする携帯通信端末。
【請求項２】
利用者が操作を行う操作部により、外部の前記表示装置に転送することを指示する操作がなされた際に、前記外部表示情報を、前記無線通信手段を用いて外部の前記表示装置に転送することを特徴とする請求項１に記載の携帯通信端末。
【請求項３】
前記外部表示情報を外部の前記表示装置に転送することを指示する操作が、前記表示手段に表示された表示情報を上下左右いずれかの方向にスクロールさせる送り操作、あるいは、表示情報を縮小／拡大させる操作のいずれかであることを特徴とする請求項２に記載の携帯通信端末。
【請求項４】
前記外部表示情報を外部の前記表示装置に転送する前記無線通信手段が、近距離通信用の無線通信方式を用いて通信を行うことを特徴とする請求項１ないし３のいずれかに記載の携帯通信端末。
【請求項５】
前記近距離通信用の無線通信方式が、Ｂｌｕｅｔｏｏｔｈ、赤外線、無線ＬＡＮ（アドホック）のいずれかの無線通信方式であることを特徴とする請求項４に記載の携帯通信端末。
【請求項６】
前記表示手段に表示しようとする前記情報のうち秘匿性を要する情報については、前記表示手段に表示し、該秘匿性を要する情報を除く前記外部表示情報は、転送先の外部の前記表示装置に表示することを特徴とする請求項１ないし５のいずれかに記載の携帯通信端末。
【請求項７】
情報を表示する表示手段、表示する情報を外部の表示装置に転送する無線通信手段を少なくとも備えた携帯通信端末における情報表示方法であって、前記表示手段に表示しようとする前記情報のうち秘匿性を要する情報を除く情報を、外部表示情報として、前記無線通信手段を用いて外部の前記表示装置に転送することを特徴とする情報表示方法。
【請求項８】
利用者により、外部の前記表示装置に転送することを指示する操作がなされた際に、前記外部表示情報を、外部の前記表示装置に転送することを特徴とする請求項７に記載の情報表示方法。
【請求項９】
前記外部表示情報を外部の前記表示装置に転送する前記無線通信手段が、近距離通信用の無線通信方式を用いて通信を行うことを特徴とする請求項７または８に記載の情報表示方法。
【請求項１０】
前記表示手段に表示しようとする前記情報のうち秘匿性を要する情報については、前記表示手段に表示し、該秘匿性を要する情報を除く前記外部表示情報は、転送先の外部の前記表示装置に表示することを特徴とする請求項７ないし９のいずれかに記載の情報表示方法。
【請求項１１】
請求項７ないし１０のいずれかに記載の情報表示方法を、コンピュータにより実行可能なプログラムとして実施していることを特徴とする情報表示プログラム。
【請求項１２】
請求項１１に記載の情報表示プログラムを、コンピュータにより読み取り可能な記録媒体に記録していることを特徴とするプログラム記録媒体。
【発明の詳細な説明】
【技術分野】
【０００１】
本発明は、携帯通信端末、情報表示方法、情報表示プログラムおよびプログラム記録媒体に関し、特に、近傍に存在する外部の表示装置に情報を転送して表示させることが可能な携帯通信端末、情報表示方法、情報表示プログラムおよびプログラム記録媒体に関する。
【背景技術】
【０００２】
近年、電気通信技術の進展に伴って、携帯電話機やＰＤＡ(Personal  Digital  Assistants)端末等の携帯通信端末の高機能化、小型軽量化が益々活発に進められている。例えば、携帯通信端末に地上デジタル放送（ワンセグ）の受信機能やインターネット接続機能が標準的に装備されるようになってきており、小型の表示画面上に、テレビやゲーム用のアニメや地図情報や画像情報を含む長文のメッセージ等の情報量が多い情報をディスプレイ表示させることも可能になってきている。
【０００３】
しかし、情報量が多い情報については、小型の表示画面上に一度に情報を表示することができないため、利用者は、上下左右にスクロールさせながら、あるいは、縮小した表示画面情報に変換して、表示画面を確認することが必要であり、一覧性や視認性に問題がある。
【０００４】
かかる問題を解決するために、例えば、特許文献１の特開２００７−１２４２８６号公報「表示装置、表示データ転送装置および無線通信端末」においては、携帯通信端末を外部の表示装置上のあらかじめ特定されている位置に載置して、当該携帯通信端末に表示させる表示情報を無線通信インタフェースを介して外部の表示装置側に転送して、外部の表示装置の大型の表示画面上に表示させる仕組みを提案している。
【先行技術文献】
【特許文献】
【０００５】
【特許文献１】特開２００７−１２４２８６号公報（第５−７頁）
【発明の概要】
【発明が解決しようとする課題】
【０００６】
前述のように、近年においては、携帯通信端末の高機能化に伴って、携帯通信端末の小型の表示部に、様々な情報が表示出力されるようになってきている。例えば、簡単なメモや電話番号程度の情報量が少ないものであれば、小さな表示部であっても十分表示することができる。しかし、インターネットヘ接続して得られるＷｅｂサイト等の情報や長文のメール情報や写真、動画などのように情報量が多い場合は、より大きな表示画面に出力する方が、表示情報に対する利用者の視認性、一覧性を向上させることができる。
【０００７】
したがって、前記特許文献１に記載のように、携帯通信端末を特定の表示装置上に載置して、該表示装置の表示画面に携帯通信端末の表示情報を転送して表示させるような提案がなされている。
【０００８】
しかしながら、前記特許文献１のような技術では、移動性に富む携帯通信端末であっても、特定の表示装置例えば自宅の表示装置という限られた場所において携帯通信端末を固定した状態にしない限り、外部の表示装置を使って画面表示することができない技術であり、携帯通信端末としての利便性に問題がある。
【０００９】
さらには、携帯通信端末から転送して外部の表示装置に画面表示する情報の中には、氏名、メールアドレス、個人的な写真等の個人情報に代表される情報のように、外部の人には見せたくない秘匿を要する情報が含まれている場合もある。かくのごとき秘匿を要する情報が存在する場合であっても、従来の技術の場合は、そのまま、外部の表示装置に転送して画面表示してしまうという問題がある。
【００１０】
本発明は、かかる事情に鑑みてなされたものであり、携帯通信端末において利用される表示情報のうち、情報量が多い表示情報については、秘匿性を要する情報を含まない形式に編集して、携帯通信端末の近傍に存在する任意の外部表示装置に転送して画面表示させることによって、携帯通信端末本体の機能を最小限に抑えながら、利用者の利便性を向上させることが可能な携帯通信端末、情報表示方法、情報表示プログラムおよびプログラム記録媒体を提供することを、その目的としている。
【課題を解決するための手段】
【００１１】
前述の課題を解決するため、本発明による携帯通信端末、情報表示方法、情報表示プログラムおよびプログラム記録媒体は、次のような特徴的な構成を採用している。
【００１２】
（１）情報を表示する表示手段、表示する情報を外部の表示装置に転送する無線通信手段を少なくとも備えた携帯通信端末であって、前記表示手段に表示しようとする前記情報のうち秘匿性を要する情報を除く情報を、外部表示情報として、前記無線通信手段を用いて外部の前記表示装置に転送する携帯通信端末。
【発明の効果】
【００１３】
本発明の携帯通信端末、情報表示方法、情報表示プログラムおよびプログラム記録媒体によれば、以下のような効果を得ることができる。
【００１４】
第１の効果は、多くの表示情報量を有する情報を表示する際に、携帯通信端末の小さな表示画面の表示部に表示出力する代わりに、近傍に存在する外部表示装置の大きな表示画面に表示出力することが可能であるので、利用者の情報視認性を向上させることができることにある。
【００１５】
第２の効果は、近傍に存在する外部表示装置へ転送しようとしている転送情報のうち、秘匿を要する情報については、外部表示装置への転送情報には含まれない形式に編集し直してから、外部表示情報として、外部表示装置へ転送するので、秘匿を要する情報は、外部表示装置には表示出力されることはなく、携帯通信端末本体の表示部のみに表示させることを可能としていることにある。したがって、秘匿を要しない部分の当該情報については外部表示装置の大型の表示画面で容易に確認することが可能である一方、秘匿を要する情報が不用意に第三者に漏洩することを防止することができる。
【図面の簡単な説明】
【００１６】
【図１】本発明の―実施形態である携帯通信端末のブロック構成を示すブロック図である。
【図２】図１に示す携帯通信端末の動作の一例を示すフローチャートである。
【発明を実施するための形態】
【００１７】
以下、本発明による携帯通信端末、情報表示方法、情報表示プログラムおよびプログラム記録媒体の好適な実施形態について添付図を参照して説明する。なお、以下の説明においては、本発明による携帯通信端末、情報表示方法について説明するが、かかる情報表示方法をコンピュータにより実行可能な情報表示プログラムとして実施するようにしても良いし、あるいは、情報表示プログラムをコンピュータにより読み取り可能な記録媒体に記録するようにしても良いことは言うまでもない。
【００１８】
（本発明の特徴）
本発明の実施形態の説明に先立って、本発明の特徴についてその概要をまず説明する。本発明の携帯通信端末は、通信ネットワークを介して送受信する情報、インターネットのＷｅｂサイト等から受信した情報、スケジュール情報、電話帳情報などの携帯通信端末で利用される情報のうち、情報量が多い情報については、秘匿性を要する情報を除いて、当該携帯通信端末本体の表示部よりも表示可能領域が大きい外部表示装置に出力する機能を有することを主要な特徴としている。
【００１９】
かくのごとき本発明の携帯通信端末によれば、携帯通信端末の近傍に存在する様々な外部の表示装置を必要に応じて利用可能とする形態であるため、携帯通信端末本体の表示部は、表示する情報量が少ないものの、安価である表示部を採用することができ、携帯通信端末本体のコストを抑え、また、携帯通信端末本体の小型化、軽量化を図ることができるという効果が得られる。
【００２０】
つまり、本発明の携帯通信端末は、情報を表示する表示部、表示情報を格納する記憶部、当該携帯通信端末の近傍に存在し、前記表示部よりも表示可能領域が大きい外部表示装置に対して表示情報を転送する近距離通信用の通信部、および、前記記憶部に格納された表示情報を、前記通信部を介して外部表示装置に転送するように制御する制御部を有する携帯通信端末であって、前記制御部は、表示情報に秘匿すべき情報が含まれている場合、秘匿すべき情報を含まない形式に編集して外部表示装置に転送するように制御することを特徴としている。
【００２１】
また、本発明の携帯通信端末の制御部は、外部表示装置に出力する際に、秘匿を要する情報を当該携帯通信端末の表示部に、また、秘匿を要しない情報を外部表示装置に出力するように制御することを特徴としている。
【００２２】
また、本発明の携帯通信端末は、さらに操作部を有し、前記制御部は、前記表示部に表示された情報に対する操作入力（例えば上下左右いずれかの方向へのスクロール操作等）に応答し、近傍の外部表示装置を検索して、検索した外部表示装置に秘匿を用しない情報を表示出力するように制御することを特徴としている。
【００２３】
なお、本発明の携帯通信端末は、携帯電話機、ＰＨＳ(Personal  Handy-Phone  System)端末、ＰＤＡ(Personal  Digital  Assistants)端末、携帯ノートＰＣ(Personal  Computer)、携帯音楽プレーヤ等、近距離用の通信機能を有する如何なる種類の携帯端末であっても構わない。また、外部表示装置としては、ＰＣ(Personal  Computer)、液晶表示装置、テレビやプロジェクタシステム等、近距離通信機能を装備され、かつ、表示機能を有する装置であれば、如何なる種類のものであっても構わない。
【００２４】
（実施形態の構成）
次に、本発明の一実施形態である携帯通信端末のブロック構成について、図１を参照しながら説明する。図１は、本発明の一実施形態である携帯通信端末のブロック構成を示すブロック図である。
【００２５】
図１に示すように、本発明の一実施形態である携帯通信端末１００は、プログラム制御により動作する携帯型の情報処理装置であって、無線基地局装置等と無線信号を送受信し、通話、メール送受信、インターネット接続等の通信機能を実現する通常の無線通信手段である第１無線通信部１０１やＴＶ放送等の放送電波を受信する放送受信部１０２の他に、Ｂｌｕｅｔｏｏｔｈや赤外線、無線ＬＡＮ（アドホック）等の通信方式を用いた近距離用無線通信手段である第２無線通信部１０９を備えており、第２無線通信部１０９により、近傍に存在している外部表示装置２００に表示情報を出力する機能を備えている。
【００２６】
つまり、携帯通信端末１００は、図１に示すように、アンテナを介して図示しない無線基地局装置等との間で無線により情報の送受信を行う第１無線通信部１０１と、放送局（地上局、衛星など）から送信されてくるＴＶ放送等の放送信号を、アンテナを介して受信し、受信した放送信号を復調して、映像データ、音声データ、情報データ等の放送信号の受信処理を行う放送受信部１０２の他に、Ｂｌｕｅｔｏｏｔｈや赤外線、無線ＬＡＮ（アドホック）等の無線通信技術を用いることにより、近距離に存在する他の表示装置（外部表示装置）を検索し、検索した他の表示装置（外部表示装置）に表示情報を転送する近距離無線通信用の第２無線通信部１０９を備えている。
【００２７】
さらに、携帯通信端末１００は、画像情報の取得（撮影）を行うカメラ部１０３と、マイク１０５等からなる送話部およびスピーカ１０６等からなる受話部を介して入出力される音声信号の処理を行う音声処理部１０４と、映像、画像、図形、文字、記号などの情報に関する信号処理をして画面に表示出力する表示部１０７と、テンキー、スクロールキー、十字キー、決定キー等から構成され、当該携帯通信端末１００に対して利用者から各種情報の入力を行うための操作部１０８と、を備えている。
【００２８】
さらに、携帯通信端末１００は、楽音や報知音などの鳴音出力を行うスピーカ１１０と、電話帳情報、送受信メール情報、発着呼情報、コンテンツ情報、アプリケーションプログラム情報、撮影画像、および、携帯通信端末１００の諸設定情報等の各種の情報を格納する記憶部１１１と、電話機能、メール機能、インターネット（Ｗｅｂ）接続機能、カメラ（撮像）機能、第２無線通信（近距離通信）機能、テレビ受信機能、コンテンツ再生機能、その他の当該携帯通信端末１００の有する機能や各回路部の制御を行う制御部１１２と、を備えている。
【００２９】
一方、携帯通信端末１００の近傍に存在し、携帯通信端末１００からの表示情報（画像情報）を表示する外部表示装置２００は、プログラム制御により動作する表示装置であって、Ｂｌｕｅｔｏｏｔｈや赤外線、無線ＬＡＮ（アドホック）等の近距離通信機能を備え、Ｂｌｕｅｔｏｏｔｈや赤外線、無線ＬＡＮ（アドホック）等の無線通信手段により、近距離に存在する携帯通信端末１００から送信されてくる映像、画像、図形、文字、記号などの情報を受信する無線通信部２０３を備えている。
【００３０】
さらに、外部表示装置２００は、無線通信部２０３が受信した映像、画像、図形、文字、記号などの情報を表示出力する表示部２０１と、当該外部表示装置２００に対して利用者から各種情報の入力を行うための操作部２０２と、表示部２０１への表示情報や操作部２０２から入力された各種情報を格納する記憶部２０４と、無線通信部２０３を介する通信制御や表示部２０１への出力制御や操作部２０２からの入力制御などを行う制御部２０５と、を備えている。
【００３１】
（実施形態の動作の説明）
次に、本発明の一実施形態として図１に例示した携帯通信端末１００の動作について、その一例を図２のフローチャートを参照しながら説明する。図２は、図１に示す携帯通信端末１００の動作の一例を示すフローチャートである。
【００３２】
携帯通信端末１００の制御部１１２は、表示部１０７に表示すべき情報が存在しているか否かを確認し（ステップＳ１０１）、表示出力すべき情報が存在している場合（ステップＳ１０１のＹｅｓ）、当該情報を表示部１０７に表示出力する（ステップＳ１０２）。さらに、制御部１１２は、表示部１０７に表示出力した情報について、利用者により表示画面の例えば送り操作（つまり上下左右いずれかの方向へのスクロール操作）がなされたか否かを監視する（ステップＳ１０３）。
【００３３】
当該表示画面の送り操作（つまりスクロール操作）がなされたことが検出された場合は（ステップＳ１０３のＹｅｓ）、利用者は、当該携帯通信端末１００の近傍に存在する外部表示装置２００へ表示情報を転送して大型の画面に表示出力することを指示しているものと判断して、第２無線通信部１０９を介して、当該携帯通信端末１００の近傍に、表示情報を転送することが可能な外部表示装置２００が存在しているか否かを検索する（ステップＳ１０４）。
【００３４】
当該携帯通信端末１００の近傍に表示情報の転送が可能な外部表示装置２００が検索されなかった場合は（ステップＳ１０５のＮｏ）、このまま、当該携帯通信端末１００の表示部１０７への出力を継続する（ステップＳ１０６）。すなわち、当該携帯通信端末１００の表示部１０７の表示画面を、操作部１０８による送り操作（つまり上下左右いずれかの方向へのスクロール操作）によりスクロールさせて、新たな表示情報を画面に表示させるようにして、利用者に提示する。
【００３５】
一方、当該携帯通信端末１００の近傍に表示情報の転送が可能な外部表示装置２００が検索された場合は（ステップＳ１０５のＹｅｓ）、検索された当該外部表示装置２００に対して転送しようとする表示情報（画像情報等）を編集して、外部表示情報として生成する。
【００３６】
この際、例えば、送信元のメールアドレスの情報など、外部表示装置２００に表示出力することが適当でない情報（つまり秘匿する必要がある情報）が存在しているか否かを確認する（ステップＳ１０７）。外部表示装置２００に表示出力することが適当でない情報（つまり秘匿を要する情報）が存在している場合は（ステップＳ１０７のＹｅｓ）、当該秘匿を要する情報を外部表示装置２００への転送情報から除くように編集して、外部表示情報として、第２無線通信部１０９を介して外部表示装置２００へ転送する。また、当該秘匿を要する情報のみを抽出した形式で、当該携帯通信端末１００の表示部１０７に表示出力する（ステップＳ１０８）。
【００３７】
外部表示装置２００に表示出力することが適当でない情報（つまり秘匿を要する情報）が存在していなかった場合は（ステップＳ１０７のＮｏ）、当該外部表示装置２００に対して転送しようとする表示情報（画像情報等）のすべてを外部表示情報として編集して、第２無線通信部１０９を介して外部表示装置２００へ転送する（ステップＳ１０９）。
【００３８】
近傍の携帯通信端末１００から転送されてきた外部表示情報を無線通信部２０３により受信した外部表示装置２００は、受信した外部表示情報を、大型の画面を有する表示部２０１への表示情報に編集して、表示部２０１に表示出力する。
【００３９】
なお、前述の説明においては、表示部１０７の表示画面に対して、操作部１０８による送り操作（つまりスクロール操作）がなされたことにより、携帯通信端末１００の小さな表示画面には表示し切れない多くの情報量を有する表示情報であるものと自動的に判断して、近傍の外部表示装置２００の大型画面に表示させようとする場合について説明した。しかし、本発明はかかる場合のみに限るものではない。例えば、操作部１０８による送り操作（つまりスクロール操作）の代わりに、携帯通信端末１００から外部表示装置２００への転送指示用としてあらかじめ定めたキーまたはボタン（例えば、縮小／拡大表示キーや縮小／拡大表示のためのメニュー項目の選択など）の操作がなされた際に、近傍の外部表示装置２００の大型画面に表示させようとしているものと判断させるようにしても良い。
【００４０】
（本実施形態の効果の説明）
以上に説明したように、本実施形態によれば、多くの表示情報量を有する情報については、携帯通信端末１００の小さな表示画面の表示部１０７に表示出力する代わりに、近傍に存在する外部表示装置２００の大きな表示画面に表示出力することが可能であるので、利用者の情報視認性を向上させることができる。
【００４１】
また、近傍に存在する外部表示装置２００へ転送しようとしている転送情報のうち、秘匿を要する情報については、外部表示装置２００への転送情報には含まれない形式に編集し直してから、外部表示情報として、外部表示装置２００へ転送するので、秘匿を要する情報は、外部表示装置２００には表示出力されることはなく、携帯通信端末１００本体の表示部１０７のみに表示される。したがって、秘匿を要しない部分の当該情報については外部表示装置２００の大型の表示画面で容易に確認することが可能である一方、秘匿を要する情報が不用意に第三者に漏洩することを防止することができる。
【００４２】
以上、本発明の好適実施形態の構成を説明した。しかし、斯かる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）利用者が操作を行う操作部により、外部の前記表示装置に転送することを指示する操作がなされた際に、前記外部表示情報を、前記無線通信手段を用いて外部の前記表示装置に転送する上記（１）の携帯通信端末。
（３）前記外部表示情報を外部の前記表示装置に転送することを指示する操作が、前記表示手段に表示された表示情報を上下左右いずれかの方向にスクロールさせる送り操作、あるいは、表示情報を縮小／拡大させる操作のいずれかである上記（２）の携帯通信端末。
（４）前記外部表示情報を外部の前記表示装置に転送する前記無線通信手段が、近距離通信用の無線通信方式を用いて通信を行う上記（１）ないし（３）のいずれかの携帯通信端末。
（５）前記近距離通信用の無線通信方式が、Ｂｌｕｅｔｏｏｔｈ、赤外線、無線ＬＡＮ（アドホック）のいずれかの無線通信方式である上記（４）の携帯通信端末。
（６）前記表示手段に表示しようとする前記情報のうち秘匿性を要する情報については、前記表示手段に表示し、該秘匿性を要する情報を除く前記外部表示情報は、転送先の外部の前記表示装置に表示する上記（１）ないし（５）のいずれかの携帯通信端末。
（７）情報を表示する表示手段、表示する情報を外部の表示装置に転送する無線通信手段を少なくとも備えた携帯通信端末における情報表示方法であって、前記表示手段に表示しようとする前記情報のうち秘匿性を要する情報を除く情報を、外部表示情報として、前記無線通信手段を用いて外部の前記表示装置に転送する情報表示方法。
（８）利用者により、外部の前記表示装置に転送することを指示する操作がなされた際に、前記外部表示情報を、外部の前記表示装置に転送する上記（７）の情報表示方法。
（９）前記外部表示情報を外部の前記表示装置に転送する前記無線通信手段が、近距離通信用の無線通信方式を用いて通信を行う上記（７）または（８）の情報表示方法。
（１０）前記表示手段に表示しようとする前記情報のうち秘匿性を要する情報については、前記表示手段に表示し、該秘匿性を要する情報を除く前記外部表示情報は、転送先の外部の前記表示装置に表示する上記（７）ないし（９）のいずれかの情報表示方法。
（１１）上記（７）ないし（１０）のいずれかの情報表示方法を、コンピュータにより実行可能なプログラムとして実施している情報表示プログラム。
（１２）上記（１１）の情報表示プログラムを、コンピュータにより読み取り可能な記録媒体に記録しているプログラム記録媒体。
【符号の説明】
【００４３】
１００      携帯通信端末
１０１      第１無線通信部
１０２      放送受信部
１０３      カメラ部
１０４      音声処理部
１０５      マイク
１０６      スピー力
１０７      表示部
１０８      操作部
１０９      第２無線通信部
１１０      スピー力
１１１      記憶部
１１２      制御部
２００      外部表示装置
２０１      表示部
２０２      操作部
２０３      無線通信部
２０４      記憶部
２０５      制御部
【図１】
2010166464.tif 000003
【図２】
2010166464.tif 000004